(57)【要約】【課題】  ビットパターンドメディアを用いる磁気記録のライト位相マージンを大きくすること。【解決手段】  隣接ドット列間に位相シフトがある多数の磁性ドット列（Ｄ１、Ｄ２、Ｄ３、Ｄ４、Ｄ５）を含むビットパターンドメディアと、複数行のドット列をカバーし、端部が記録対象の１行のドット列に位置する記録ヘッド（１２Ｗ）と、記録ヘッドによる１行のドット列の記録後に記録ヘッドを１行分移動させるアクチュエータ（１３）と、を具備し、瓦記録方式で情報を記録する。【選択図】図２
2011192339.tif 000002
【特許請求の範囲】
【請求項１】
隣接ドット列間に位相シフトがある多数の磁性ドット列を含む磁気記録媒体と、
複数行のドット列をカバーし、端部が記録対象の１行のドット列に位置する記録ヘッドと、
前記記録ヘッドによる１行のドット列の記録後に前記記録ヘッドを１行分移動させるアクチュエータと、
を具備し、瓦記録方式で情報を記録する磁気記録装置。
【請求項２】
前記磁気記録媒体の隣接ドット列の位相シフトは、２以上の正整数をｎとすると、（３６０／ｎ）度である請求項１記載の磁気記録装置。
【請求項３】
ｎ行のドット列をカバーし、ｎ行のドット列の各ドットの情報をドット列の方向に沿って順次再生する再生ヘッドと、
前記再生ヘッドによるｎ行のドット列の再生後に前記再生ヘッドをｎ行分移動させる第２のアクチュエータと、
前記再生ヘッドにより再生された各ドットの情報を記録時のドットの順番に並べ替える手段と、
をさらに具備する請求項２記載の磁気記録装置。
【請求項４】
隣接ドット列間に位相シフトがある多数の磁性ドット列を含む磁気記録媒体の磁気記録方法であって、
複数行のドット列をカバーする記録ヘッドの端部を記録対象の１行のドット列に位置させ、１行のドット列に情報を記録することと、
前記記録ヘッドを１行分移動させ、瓦記録方式で各行のドット列に情報を順次記録することと、
を具備する磁気記録方法。
【請求項５】
前記磁気記録媒体の隣接ドット列の位相シフトは、２以上の正整数をｎとすると、（３６０／ｎ）度である請求項４記載の磁気記録方法。
【請求項６】
ｎ行のドット列をカバーする再生ヘッドをｎ行のドット列に位置させ、ｎ行のドット列の各ドットの情報をドット列の方向に沿って順次再生することと、
前記再生ヘッドによるｎ行のドット列の再生後に前記再生ヘッドをｎ行分移動させることと、
前記再生ヘッドにより再生された各ドットの情報を記録時のドットの順番に並べ替えることと、
をさらに具備する請求項５記載の磁気記録方法。
【請求項７】
隣接ドット列間に位相シフトがある多数の磁性ドット列を含み、隣接ドット列の位相シフトは、３以上の正整数をｎとすると、（３６０／ｎ）度である磁気記録媒体。
【請求項８】
請求項７記載の磁気記録媒体と、
複数行のドット列をカバーし、端部が記録対象の１行のドット列に位置する記録ヘッドと、
前記記録ヘッドによる１行のドット列の記録後に前記記録ヘッドを１行分移動させるアクチュエータと、
を具備し、瓦記録方式で情報を記録する磁気記録装置。
【請求項９】
ｎ行のドット列をカバーし、ｎ行のドット列の各ドットの情報をドット列の方向に沿って順次再生する再生ヘッドと、
前記再生ヘッドによるｎ行のドット列の再生後に前記再生ヘッドをｎ行分移動させる第２のアクチュエータと、
前記再生ヘッドにより再生された各ドットの情報を記録時のドットの順番に並べ替える手段と、
をさらに具備する請求項８記載の磁気記録装置。
【請求項１０】
請求項７記載の磁気記録媒体の磁気記録方法であって、
複数行のドット列をカバーする記録ヘッドの端部を記録対象の１行のドット列に位置させ、１行のドット列に情報を記録することと、
前記記録ヘッドを１行分移動させ、瓦記録方式で各行のドット列に情報を順次記録することと、
を具備する磁気記録方法。
【請求項１１】
ｎ行のドット列をカバーする再生ヘッドをｎ行のドット列に位置させ、ｎ行のドット列の各ドットの情報をドット列の方向に沿って順次再生することと、
前記再生ヘッドによるｎ行のドット列の再生後に前記再生ヘッドをｎ行分移動させることと、
前記再生ヘッドにより再生された各ドットの情報を記録時のドットの順番に並べ替えることと、
をさらに具備する請求項１０記載の磁気記録方法。
【発明の詳細な説明】
【技術分野】
【０００１】
本発明はハードディスク装置等の磁気記録装置、磁気記録方法および磁気記録媒体に関する。
【背景技術】
【０００２】
パーソナルコンピュータ、ハードディスクレコーダ等の情報機器の高機能化・高速化に伴い、ユーザの取り扱う情報の量は近年ますます増大してきている。このため、情報記録装置の記録媒体の記録密度を高めることが切望されている。記録密度を高めるためには、記録媒体において記録の書き込み単位である１つの記録セルまたは記録マークの大きさを微小化することが必要である。しかし、従来の記録媒体においては、記録セルまたは記録マークの微小化は大きな困難に直面している。
【０００３】
現行のハードディスク装置の記録媒体は、ディスク基板上に厚さ数１０ｎｍ程度のグラニュラー薄膜を堆積させた構造となっている。記録密度を高めるために、グラニュラー薄膜の粒子を細かくすると、熱揺らぎ（磁性体粒子の体積が小さくなると、熱エネルギーに比べて磁気エネルギーの比率が低下し、温度の影響で記録磁化が変化あるいは消失してしまう現象）のために、小さい多結晶体では記録が不安定となる。このため、記録セルが大きい場合は問題ないが、記録セルが小さくなると、記録の不安定性やノイズの増大が生じる。これは、記録セルに含まれる結晶粒の数が少なくなることと、記録セル間の相互作用が相対的に大きくなるためである。
【０００４】
これを回避するため、記録材料を非記録材料により予め分断し、単一の記録材料粒子を単一の記録セルとして記録再生を行うビットパターンドメディア（ＢＰＭ）（単にパターンドメディアとも称する）が薄膜媒体に代わる次世代型磁気記録媒体として提案されている（例えば、特許文献１、特許文献２、特許文献３参照）。
【０００５】
ビットパターンドメディアは、ナノメートルスケールの微小磁石（磁性ドット）を基板上に規則配列させた磁性ドットアレイから構成されており、それぞれの磁性ドットの磁化の向きで“０”、“１”のデジタル信号（１ドットが１ビットに相当）が記録される。ビットパターンドメディアでは、各ビットが物理的に完全孤立しているため、連続膜媒体において高記録密度化の主たる阻害因子となる磁化転移に伴うノイズが原理的に生じない。
【０００６】
一方、グラニュラー薄膜を堆積させた現行のハードディスク装置の記録媒体では、記録ヘッドが記録媒体の特定位置にデータを記録する際に、書き込み開始のタイミングがずれることにより書き込み位置がトラック方向に少しずれたとしても、媒体表面が一様であるために記録エラーは起きにくい。
【０００７】
しかしながら、記録材料が記録媒体表面において非記録材料により分断されているパターンドメディアでは、記録ヘッドが記録媒体の特定位置にデータを記録する際に、分断された記録セルの１つ１つにデータを書き込む必要があるため、記録ヘッドによる記録開始のタイミング合わせが重要である。記録開始タイミングがずれると、記録ヘッドが非記録材料部分または隣り合う記録セルにまたがって書き込み動作を行うことになるため、書き込みエラーが増えてしまう。
【０００８】
ビットパターンドメディアのドットの配列パターンには格子（正方）パターンや千鳥パターンがある。特許文献１のようにドットが縦横に整列している格子パターンでは、ドット列をデータの１トラックと考え、ヘッドコア幅やトラッキング等のクロストラック方向の条件に精密な制約条件が要求される。
【０００９】
その解決策として、特許文献２、特許文献３のような千鳥パターンが検討されている。千鳥パターンでは、一定のドットピッチで配列された多数のドット列において、奇数行目のドット列と偶数行目のドット列とは位相が１８０°ずれている。ヘッドは２行のドット列を同時にアクセスできる幅である。記録時は、ヘッドをドット列に沿って移動しながら、１行目の１番目のドット、２行目の１番目のドット、１行目の２番目のドット、…へ書き込む。同様に、再生時も、ヘッドをドット列に沿って移動しながら、１行目の１番目のドット、２行目の１番目のドット、１行目の２番目のドット、…から読み出す。このように、隣接した２行のドット列を１データトラックとする。これにより、格子パターンに比べて千鳥パターンは、トラックピッチが２倍、ビットピッチが１／２となる。ライト位相マージンを決める要素の一つは、ドット間のスペース（ドットピッチ）である。しかし、千鳥パターンでは、２行のドット列を１データトラックとしているので、ドットピッチが１／２になるため、千鳥パターンは格子パターンに比べてライト位相マージンが減少する。このため、ディスクやヘッドの製造に要求される精度が厳しいものになっている。
【先行技術文献】
【特許文献】
【００１０】
【特許文献１】特開２００７−７３１１６号公報（段落００２４〜段落００２７）
【特許文献２】特開２００７−３０５２８９号公報（段落００１２〜段落００２０）
【特許文献３】特開２００３−１５１１０３号公報（段落００２５〜段落００２６）
【発明の概要】
【発明が解決しようとする課題】
【００１１】
このように従来のビットパターンドメディアを用いる磁気記録装置では、ライト位相マージンが狭く、書き込みエラーが生じやすい欠点があり、これを防ぐためには、製造時の加工精度の要求が厳しくなるという問題がある。
【課題を解決するための手段】
【００１２】
本発明の一実施の形態によれば、隣接ドット列間に位相シフトがある多数の磁性ドット列を含む磁気記録媒体と、複数行のドット列をカバーし、端部が記録対象の１行のドット列に位置する記録ヘッドと、前記記録ヘッドによる１行のドット列の記録後に前記記録ヘッドを１行分移動させるアクチュエータとを具備し、瓦記録方式で情報を記録する磁気記録装置が提供される。
【００１３】
本発明の他の実施の形態によれば、隣接ドット列間に位相シフトがある多数の磁性ドット列を含む磁気記録媒体の磁気記録方法であって、複数行のドット列をカバーする記録ヘッドの端部を記録対象の１行のドット列に位置させ、１行のドット列に情報を記録することと、前記記録ヘッドを１行分移動させ、瓦記録方式で各行のドット列に情報を順次記録することとを具備する磁気記録方法が提供される。
【００１４】
本発明のさらに他の実施の形態によれば、隣接ドット列間に位相シフトがある多数の磁性ドット列を含み、隣接ドット列の位相シフトは、３以上の正整数をｎとすると、（３６０／ｎ）度である磁気記録媒体が提供される。
【発明の効果】
【００１５】
本発明は隣接ドット列間に位相シフトがある磁気記録媒体と瓦記録方式とを組み合わせたことにより、ドット列方向のドットピッチを位相シフト量に応じて数倍とすることが出来るので、ライト位相マージンを大きくすることができる。
【図面の簡単な説明】
【００１６】
【図１】本発明の実施の形態に係る磁気記録装置の図である。
【図２】第１の実施の形態に係る瓦記録の様子を示す図である。
【図３】第１の実施の形態に係る再生の様子を示す図である。
【図４】第１の実施の形態に係る再生の際のビット入替えの様子を示す図である。
【図５】第２の実施の形態に係る瓦記録の様子を示す図である。
【図６】第２の実施の形態に係る再生の様子を示す図である。
【図７】第３の実施の形態に係る再生の際のビット入替えの様子を示す図である。
【図８】第１の実施の形態におけるライトマージンを説明する図である。
【図９】第２の実施の形態におけるライトマージンを説明する図である。
【発明を実施するための形態】
【００１７】
以下、図面を参照して本発明の実施の形態について詳細に説明する。
【００１８】
図１は、第１の実施形態に関する磁気記録装置および磁気記録方法の構成を説明するためのブロック図である。
【００１９】
ディスクドライブ１は、磁気記録媒体であるディスク１０と、ディスク１０を回転させるスピンドルモータ（ＳＰＭ）１１と、ヘッド１２と、アクチュエータ１３と、ヘッドアンプユニット（ヘッドＩＣ）１４とを有する。ディスク１０は、ナノメートルスケールの微小磁石（磁性ドット）が基板上に規則的に配列された磁性ドットアレイからなり、それぞれの磁性ドットの磁化の向きで“０”、“１”のデジタル信号（１ドットが１ビットに相当）が記録されるビットパターンドメディアである。
【００２０】
ヘッド１２は、リードヘッド素子１２Ｒとライトヘッド素子１２Ｗとが、１つのスライダ上に分離して実装されている構造である。リードヘッド１２Ｒは、ディスク１０に記録されているデータを読出す。ライトヘッド素子１２Ｗは、ディスク１０にデータを書き込む。アクチュエータ１３は、ヘッド１２を搭載しているサスペンション、アーム及びボイスコイルモータ（ＶＣＭ）を有し、トラッキング制御のためにヘッド１２をディスク１０上の半径方向（クロストラック方向）に移動させる。
【００２１】
ヘッドアンプユニット１４は、ヘッド１２のリードヘッド素子１２Ｒにより読出されたリード信号を増幅してリード／ライトチャネル１５に出力するリードアンプを含む。また、ヘッドアンプユニット１４は、リード／ライトチャネル１５から出力されるライトデータをライト信号（ライト電流）に変換して、ヘッド１２のライトヘッド素子１２Ｗに供給するライトドライバを含む。
【００２２】
ディスクドライブ１は、プリント回路基板上に実装されたリード／ライトチャネル１５、ハードディスクコントローラ（ＨＤＣ）１６、マイクロプロセッサ（ＣＰＵ）１７、メモリ１８及びモータドライバ１９を有する。なお、ＨＤＣ１６、ＣＰＵ１７、及びメモリ１８は、ワンチップの集積回路２０に実装されている。
【００２３】
リード／ライトチャネル１５は、リード／ライトデータ信号を処理する信号処理ユニットである。ＨＤＣ１６は、ディスクドライブ１と図示しないホストシステム（パーソナルコンピュータやデジタル機器）とのインターフェースを構成し、データ転送制御やリード／ライト動作を制御する。ＣＰＵ１７は、ディスクドライブ１のメインコントローラであり、ヘッド位置決め制御（サーボ制御）や、リード／ライトデータの並べ替えを実行する。メモリ１８は、フラッシュＥＥＰＲＯＭである。
【００２４】
モータドライバ１９は、ＳＰＭ１１に駆動電流を供給するＳＰＭドライバ及びアクチュエータ１３のＶＣＭに駆動電流を供給するＶＣＭドライバを有する。ＶＣＭドライバは、ＣＰＵ１７のヘッド位置決め制御（サーボ制御）に応じてアクチュエータ１３のＶＣＭに駆動電流を供給して、ヘッド１２をディスク１０上の半径方向に移動制御する。
【００２５】
図２を参照して第１実施形態における記録方法を説明する。上述したように、ディスク１０はビットパターンドメディアであり、磁性ドットの配列は、図２に示すように、千鳥パターンとされている。ここでは、奇数行目のドット列と偶数行目のドット列とは位相が１８０°ずれている。即ち、偶数行目のドット列の各ドットは、奇数行目の隣接する２ドット間に位置する。ドットの配列方向（行方向）がトラック方向（ディスクの円周方向）となる。本実施形態では、１行のドット列が１トラックを構成する。
【００２６】
ライトヘッド素子１２Ｗは複数ドット列、例えば３行のドット列を同時にアクセスできる幅を有する。リード／ライトチャネル１５から出力されるライトデータはヘッドアンプユニット１４でライト信号（ライト電流）に変換され、ライトヘッド素子１２Ｗに供給される。各ドットにはライトデータの各ビットが書き込まれる。
【００２７】
図２（ａ）は１行目のドット列Ｄ１への書き込みの様子を示す。１行目のドット列Ｄ１への書き込み時には、アクチュエータ１３は、ライトヘッド素子１２Ｗのクロストラック方向の後端部（エッジ）が１行目のドット列Ｄ１をカバーするようにライトヘッド素子１２Ｗを位置制御する。このようにライトヘッド素子１２Ｗの端部を利用して書き込みを行うことをエッジ書き込みとも称する。黒丸が１、白丸が０とすると、１行目のドット列に１１０１００１…が書き込まれる。しかし、ライトヘッド素子１２Ｗは３行のドット列を同時にアクセスできる幅を有するので、同じデータが２行目、３行目のドット列Ｄ２、Ｄ３にも書き込まれてしまう。しかしながら、後述するように、本実施形態では１ドット列の記録後、ライトヘッド素子を１ドット列分移動し上書きしながら、１ドット列ずつ記録する瓦記録方式を採用しているので、所望のドット列以外のドット列にデータが書き込まれても問題はない。
【００２８】
１行目のドット列Ｄ１への書き込み後、アクチュエータ１３は、図２（ｂ）に示すようにライトヘッド素子１２Ｗを１ドット列分クロストラック方向に移動し、ライトヘッド素子１２Ｗのクロストラック方向の後端部（エッジ）が２行目のドット列Ｄ２をカバーするようにトラッキング制御する。このときのライト位相は、ドット列に合わせて（１／２）ドットピッチ（位相角では１８０°）だけシフトさせる。これにより、２行目、３行目、４行目のドット列Ｄ２、Ｄ３、Ｄ４に０１０１１０…が書き込まれる。これにより、図２（ａ）に示す１行目のドット列Ｄ１への書き込み時に２行目のドット列Ｄ２へ書き込まれた意図しないデータが本来の書き込みデータによって上書きされる。  ２行目のドット列Ｄ２への書き込み後、アクチュエータ１３は、図２（ｃ）に示すようにライトヘッド素子１２Ｗを１ドット列分クロストラック方向に移動し、ライトヘッド素子１２Ｗのクロストラック方向の後端部（エッジ）が３行目のドット列Ｄ３をカバーするようにトラッキング制御する。これにより、３行目、４行目、５行目のドット列Ｄ３、Ｄ４、Ｄ５に０１１００１０…が書き込まれる。これにより、図２（ａ）に示す１行目のドット列Ｄ１への書き込み時に３行目のドット列Ｄ３へ書き込まれた意図しないデータが本来の書き込みデータによって上書きされる。
【００２９】
以後、同様に、ライトヘッド素子１２Ｗによる書き込み後、ライトヘッド素子１２Ｗを１ドット列だけ移動し、以前に書き込んだデータに本来のデータを上書きする瓦記録を実施することにより、１ドット列ずつデータが書き込まれる。この際のライト位相マージンはドットピッチｄｐに依存する。
【００３０】
特許文献２、特許文献３のような千鳥パターンのビットパターンドメディアにおける２行同時書き込みでは、ビットピッチがｄｐの１／２であるので、本実施形態ではドットピッチが２倍になり、ライト位相マージンも２倍になる。このため、ビットパターンドメディア１０の磁性ドットの配列精度やライトヘッド素子１２Ｗの幅（クロストラック方向）の精度を緩くすることが可能である。
【００３１】
次に、図３を参照して第１実施形態における再生方法を説明する。記録の際は、ライトヘッド素子１２Ｗは、図２に示すように、クロストラック方向の後端部（エッジ）がドット列をカバーするようにトラッキング制御されるが、リードヘッド素子１２Ｒは図３に示すように複数ドット列、例えば２行のドット列を同時にアクセスできる幅を有し、再生の際は、幅方向の中心が２行のドット列の中心に位置するようにリードヘッド素子１２Ｒはトラッキング制御される。２行のドット列は位相が１８０°ずれているので、２行のドット列を同時にアクセスできる幅を有するリードヘッド素子１２Ｒにより２行のドット列から交互にデータを読み取ることができる。１行目のドット列に０００１００１１…が、２行目のドット列に１１０１００１１…が記録されている場合、再生データは０１０１００１１００００１１１１…となる。
【００３２】
なお、記録の際はドット列毎にデータを書き込み、再生の際は２ドット列から交互にデータを読み出すので、記録と再生時とでビットデータの順番を入れ替える必要がある。ＣＰＵ１７は図４に示すように、２ドット列から交互に読み出された再生データのビット列をビット入替え回路５０にバッファして、先ず１行目のビット列から読み出されたビット列から出力し、その後２行目のビット列から読み出されたビット列を出力する。これにより、記録データを正しく再生できる。図４の丸の中の数字はビットの順番を示す。あるいは、記録時にビットデータの順番を入れ替え、再生時はそのまま出力してもよい。
【００３３】
以上、説明したように、本実施形態は、隣接ドット列間で位相が１８０°ずれている千鳥配列のドットアレイからなるビットパターンドメディア１０に対して複数ドット列を同時にアクセスできる幅を有するライトヘッド素子１２Ｗを用いてエッジ書き込みを行い、１トラック（１ドット列）の記録後ライトヘッド素子１２Ｗを１ドット列分クロストラック方向に移動し、順次上書きしながら１トラックずつ記録する瓦記録方式を採用しているので、千鳥配列のドットアレイからなるビットパターンドメディア１０に対して２ドット列を１トラックとして記録する場合に比べてドットピッチが２倍になり、ライト位相マージンも２倍になる。このため、ビットパターンドメディア１０の磁性ドットの配列精度やライトヘッド素子１２Ｗの幅（クロストラック方向）の精度を緩くすることが可能である。
【００３４】
以下、本発明による磁気記録装置の他の実施の形態を説明する。他の実施の形態の説明において第１の実施の形態と同一部分は同一参照数字を付してその詳細な説明は省略する。
【００３５】
第２の実施の形態
第２の実施の形態のブロック図は第１の実施の形態のブロック図と同一であるので、図示省略する。
【００３６】
図５を参照して第２実施形態における記録方法を説明する。上述したように、ディスク１０はビットパターンドメディアであり、磁性ドットの配列は、図５に示すように、隣接ドット列間でドットの位相をずらしたパターンとされている。ここでは、隣接する２行のドット列は位相が９０°ずれている。即ち、１行目のドット列の隣接２ドット間に２、３、４行目のドットが挿入される。すなわち、第２実施形態のドットパターンは第１実施形態のドット列を間引いたものとなっている。隣接する２行のドット列の位相シフトは９０°に限らず、１８０°未満であればよい。例えば、１行目のドット列の隣接２ドット間に２、３行目のドットが挿入される場合は、位相シフトは１２０°である。あるいは、１行目のドット列の隣接２ドット間に２、３、４、５行目のドットが挿入される場合は、位相シフトは７２°である。
【００３７】
ライトヘッド素子１２Ｗは４列より大きい複数ドット列、例えば５行のドット列を同時にアクセスできる幅を有する。
【００３８】
図５（ａ）は１行目のドット列Ｄ１への書き込みの様子を示す。１行目のドット列Ｄ１への書き込み時には、アクチュエータ１３は、ライトヘッド素子１２Ｗのクロストラック方向の後端部（エッジ）が１行目のドット列Ｄ１をカバーするようにライトヘッド素子１２Ｗをトラッキング制御する。１行目のドット列に１１０１…が書き込まれる。しかし、ライトヘッド素子１２Ｗは５行のドット列を同時にアクセスできる幅を有するので、同じデータが５行目のドット列Ｄ５まで書き込まれる。
【００３９】
１行目のドット列Ｄ１への書き込み後、アクチュエータ１３は、図５（ｂ）に示すようにライトヘッド素子１２Ｗを１ドット列分クロストラック方向に移動し、ライトヘッド素子１２Ｗのクロストラック方向の後端部（エッジ）が２行目のドット列Ｄ２をカバーするようにトラッキング制御する。このときのライト位相は、ドット列に合わせて（１／４）ドットピッチ（位相角度では９０°）だけシフトさせる。これにより、２行目から６行目までのドット列Ｄ２からＤ６に０１１１…が書き込まれる。
【００４０】
２行目のドット列Ｄ２への書き込み後、アクチュエータ１３は、図５（ｃ）に示すようにライトヘッド素子１２Ｗを１ドット列分クロストラック方向に移動し、ライトヘッド素子１２Ｗのクロストラック方向の後端部（エッジ）が３行目のドット列Ｄ３をカバーするように位置させる。これにより、３行目から７行目のドット列Ｄ３からＤ７に１１００…が書き込まれる。
【００４１】
以後、同様に、ライトヘッド素子１２Ｗによる書き込み後、ライトヘッド素子１２Ｗを１ドット列だけ移動し以前に書き込んだデータに本来のデータを上書きする瓦記録を実施することにより、１ドット列ずつデータが書き込まれる。第２実施形態のドットピッチｄｐは第１実施形態のそれに比べて２倍（従来の千鳥パターンのビットパターンドメディアにおける２行同時書き込みに比べて４倍）となり、ライト位相マージンをさらに大きくすることができる。
【００４２】
次に、図６を参照して第２実施形態における再生方法を説明する。リードヘッド素子１２Ｒは図６に示すように複数ドット列、例えば４行のドット列を同時にアクセスできる幅を有し、幅の中心が２行目と３行目のドット列の中心に位置するようにトラッキング制御される。４行のドット列は隣接するドット列間では位相が９０°ずれているので、４行のドット列から順次データを読み取ることができる。１行目のドット列に００１…が、２行目のドット列に１０１…、３行目のドット列に０００…、４行目のドット列に１１０…が記録されている場合、再生データは０１０１０００１１１００…となる。
【００４３】
図７は第２実施形態の再生データのビット入替え回路５０の入れ替えの様子を示す。
【００４４】
第２実施形態においても、ドットピッチを大きくすることができ、ライト位相マージンを大きくすることができる。
【００４５】
次に、具体的な設計例を参照して実施形態の効果を説明する。図８は図２に示した第１実施形態のビットパターンドメディアのドット配列パターンを拡大して示す図である。ドットは円形であり、トラック方向でもクロストラック方向でもサイズは同じｄ（ｎｍ）であり、ドット間にはｓ（ｎｍ）のスペースが空けられている。１ビットのサイズはトラック方向がＢＰ（ｎｍ）、クロストラック方向がＴＰ（ｎｍ）である。
【００４６】
記録密度は２テラｂｐｓｉ（ビット／１インチ平方）とする。特許文献２、特許文献３のような従来の千鳥パターンのビットパターンドメディアにおける２行同時書き込みでは、２テラｂｐｓｉの記録密度を実現するためには、ドットサイズｄ＝１２．５ｎｍ、ドット間のスペースｓ＝０．５ｎｍとなる。この時、ビットピッチＢＰ＝１３ｎｍ、トラックピッチＴＰ＝２６ｎｍである。７２００ｒｐｍの２．５インチサイズドライブを想定した時、最小ビット周期は５７０ｐｓｅｃ（１３ｎｍに相当する距離）、ライトマージンを±１０％とすると、ライトマージンは±５７ｐｓｅｃとなる。
【００４７】
第１の実施形態では、同様な記録密度、ドットサイズ、スペースとすると、ドットピッチＢＰが実質的に２倍になり、ライトマージンも±１１４ｐｓｅｃと２倍に緩和できる。
【００４８】
図９は第２実施形態のビットパターンドメディアのドット配列パターンを拡大して示す図である。なお、図５に示した第２実施形態では隣接ドット間に３ドットが挿入されているが、説明の便宜上、図９では隣接ドット間に２ドットが挿入されている、すなわち、隣接ドット列は位相が１２０°ずれている例を示す。第１実施形態と同じ記録密度（２Ｔｂｐｓｉ）を想定したとき、第２実施形態は、１行のドット列での隣接ドット間に複数ドットが挿入されているので、ドット間のスペースが増加されている分、ドットサイズを小さくする必要がある。ここでは、ドットサイズは２０％縮小し、ｄ＝１０ｎｍとする。ドット間のスペースはドットサイズ２個分増加しているので、ビットピッチＢＰ＝３１．５ｎｍとなり、ドット列方向のドットの加工精度が緩和できる。このため、記録密度を高密度化しても、ビットパターンドメディアの製造プロセスへの負荷は小さく、高記録密度の記録媒体を歩留まり良く製造することができる。
【００４９】
このときのライト位相マージンを第１実施形態と同様に±１０％としたとき、１ドットのライト位相マージンはドットサイズの縮小により±４６ｐｓｅｃと小さくなるが、隣接ドット間に２ドットのスペースがあるため、２ドットにより±４６０ｐｓｅｃのライトマージンが付加され、合計で±５０６ｐｓｅｃのライト位相マージンを確保できる。
【００５０】
以上説明したように、千鳥配置のビットパターンドメディアにおいて瓦記録方式を採用したことにより、ライト位相マージンを大きくすることが出来る。隣接ドット列間で位相が１８０°（３６０／２）ずれている千鳥配置では、ライト位相マージンを２倍に、隣接ドット列間で位相が９０°（３６０／４）ずれている千鳥配置では、ライト位相マージンを４倍にすることができる。また、ライト位相マージン拡大により、ビットパターンドメディアのドットパターンの要求加工精度やライトヘッド素子の幅の要求精度を緩和することも実現可能である。
【００５１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。また、上述の説明は個々の実施例それぞれについて行ったが、複数の実施例を適宜組み合わせてもよい。
【符号の説明】
【００５２】
１０…ビットパターンドメディア、１１…スピンドルモータ、１２Ｗ…ライトヘッド素子、１２Ｒ…リードヘッド素子、１３…アクチュエータ、１４…ヘッドアンプユニット、１５…リード／ライトチャネル、１６…ハードディスクコントローラ、１７…マイクロプロセッサ、１９…モータドライバ
【図１】
2011192339.tif 000003
【図２】
2011192339.tif 000004
【図３】
2011192339.tif 000005
【図４】
2011192339.tif 000006
【図５】
2011192339.tif 000007
【図６】
2011192339.tif 000008
【図７】
2011192339.tif 000009
【図８】
2011192339.tif 000010
【図９】
2011192339.tif 000011